(57)【要約】  本発明は調理器具の制御方法、制御装置、調理器具及び制御機器を提供し、調理器具の制御方法は、調理器具の調理効果を評価する複数の評価ディメンション及び前記複数の評価ディメンションの評価得点を含む前記調理器具の調理効果評価情報を取得するステップ（１０２）と、前記調理効果評価情報に基づいて、前記調理器具の制御パラメータを調節し、調節後の制御パラメータに基づいて前記調理器具による調理を制御するステップ（１０４）と、を含む。本発明の技術的方法によると、調理効果評価情報に基づいて調理器具の制御パラメータを調節して、最終的な調理効果を確保し、ユーザの使用需要を満たし、ユーザの使用体験を向上させる。
2019527599.tif 000002
【特許請求の範囲】
【請求項１】
調理器具の調理効果を評価する複数の評価ディメンション及び前記複数の評価ディメンションの評価得点を含む前記調理器具の調理効果評価情報を取得するステップと、
前記調理効果評価情報に基づいて前記調理器具の制御パラメータを調節し、調節後の制御パラメータに基づいて前記調理器具による調理を制御するステップと、を含むことを特徴とする調理器具の制御方法。
【請求項２】
前記調理効果評価情報に基づいて、前記調理器具の制御パラメータを調節するステップが、具体的に、
前記複数の評価ディメンションの評価得点に基づいて、前記複数の評価ディメンションの各々に対するユーザの満足度を確定するステップと、
前記評価ディメンションの各々に対する前記ユーザの満足度に基づいて、前記調理器具の制御パラメータを調節するステップと、を含むことを特徴とする請求項１に記載の調理器具の制御方法。
【請求項３】
前記調理器具の制御方法を調理器具に応用する場合、前記調理器具の前記調理効果評価情報を取得するステップが、具体的に、
ユーザが入力した前記調理効果評価情報を受信するステップ、又は、
前記調理器具に接続された制御機器から送信された前記調理効果評価情報を受信するステップを含むことを特徴とする請求項１又は２に記載の調理器具の制御方法。
【請求項４】
前記調理器具の制御方法を制御機器に応用する場合、前記調理器具の前記調理効果評価情報を取得するステップが、具体的に、
ユーザが評価得点設定インターフェース上で前記複数の評価ディメンションの各々に対して評価得点を設定するように、前記複数の評価ディメンションを含む前記評価得点設定インターフェースを表示し、各前記評価ディメンションの評価得点に基づいて前記調理効果評価情報を生成するステップを含むことを特徴とする請求項１又は２に記載の調理器具の制御方法。
【請求項５】
前記調節後の制御パラメータに基づいて前記調理器具による調理を制御するステップが、具体的に、
前記調理器具が受信した前記調節後の制御パラメータに基づいて調理を行うように、前記調理器具に前記調節後の制御パラメータを送信するステップを含むことを特徴とする請求項４に記載の調理器具の制御方法。
【請求項６】
前記調理効果評価情報を前記調理器具に送信するステップをさらに含むことを特徴とする請求項４に記載の調理器具の制御方法。
【請求項７】
調理器具の調理効果を評価する複数の評価ディメンション及び前記複数の評価ディメンションの評価得点を含む前記調理器具の調理効果評価情報を取得する取得部と、
前記調理効果評価情報に基づいて前記調理器具の制御パラメータを調節し、調節後の制御パラメータに基づいて前記調理器具による調理を制御する処理部と、を含むことを特徴とする調理器具の制御装置。
【請求項８】
前記処理部が具体的に、
前記複数の評価ディメンションの評価得点に基づいて、前記複数の評価ディメンションの各々に対するユーザの満足度を確定し、
前記評価ディメンションの各々に対する前記ユーザの満足度に基づいて、前記調理器具の制御パラメータを調節することを特徴とする請求項７に記載の調理器具の制御装置。
【請求項９】
請求項７又は８に記載の調理器具の制御装置を含み、
前記取得部が具体的に、
ユーザが入力した調理効果評価情報を受信し、又は、
前記調理器具に接続された制御機器から送信される調理効果評価情報を受信することを特徴とする調理器具。
【請求項１０】
請求項７又は８に記載の調理器具の制御装置を含み、
前記取得部が具体的に、
ユーザが評価得点設定インターフェース上で前記複数の評価ディメンションの各々に対して評価得点を設定するように、前記複数の評価ディメンションを含む前記評価得点設定インターフェースを表示し、各前記評価ディメンションの評価得点に基づいて前記調理効果評価情報を生成することを特徴とする制御機器。
【請求項１１】
前記処理部がさらに、前記調理器具が受信した前記調節後の制御パラメータに基づいて調理を行うように、前記調理器具に前記調節後の制御パラメータを送信することを特徴とする請求項１０に記載の制御機器。
【請求項１２】
前記調理効果評価情報を前記調理器具に送信する送信部をさらに含むことを特徴とする請求項１０に記載の制御機器。
【発明の詳細な説明】
【技術分野】
【０００１】
本発明は、キッチン電気用品分野に関し、特に、調理器具の制御方法、調理器具の制御装置、調理器具と制御機器に関する。
【背景技術】
【０００２】
調理器具の調理効果に対するユーザの需要がそれぞれ異なって、例えば炊飯器の調理効果の場合、柔らかくてもちもちするご飯が好きな人があれば、硬くて弾性のあるご飯を好きな人もあって、既存技術において、炊飯器が出荷された後、その調理中の制御パラメータは不変で、ユーザが異なる食感を得ようとすると、経験を基に米と水の比を調節しなければならなく、これにより、調理効果が満足でなく、ユーザの使用体験に影響を与える。
【発明の概要】
【発明が解決しようとする課題】
【０００３】
本発明は、少なくとも既存技術又は関連技術における課題の一つを解決することをその目的とする。
【０００４】
そこで、本発明は、調理効果評価情報に基づいて調理器具の制御パラメータを調節して、最終的な調理効果を確保し、ユーザの使用需要を満たし、ユーザの使用体験を向上させることができる新しい調理器具の制御方法を提供することをその目的とする。
【課題を解決するための手段】
【０００５】
上記目的を達成するため、本発明の第１態様に係る実施例によると、調理器具の調理効果を評価する複数の評価ディメンション及び前記複数の評価ディメンションの評価得点を含む前記調理器具の調理効果評価情報を取得するステップと、前記調理効果評価情報に基づいて前記調理器具の制御パラメータを調節し、調節後の制御パラメータに基づいて前記調理器具による調理を制御するステップと、を含む調理器具の制御方法を提供する。
【０００６】
本発明の実施例の調理器具の制御方法によると、調理器具の調理効果評価情報を取得し、調理効果評価情報に基づいて調理器具の制御パラメータを調節し、調節後の制御パラメータに基づいて調理器具による調理を制御し、調理効果評価情報が調理効果に対するユーザの満足度を直接的に反映するため、調理効果評価情報に基づいて制御パラメータを調節することで、最終的な調理効果がユーザの実際の需要に確実に近づくようにし、ユーザの使用体験を向上させる。
【０００７】
本発明の上記実施例に係る調理器具の制御方法は、さらに以下の特徴を有することができる。
【０００８】
本発明の第１の実施例によると、前記調理効果評価情報に基づいて、前記調理器具の制御パラメータを調節するステップは、具体的に、前記複数の評価ディメンションの評価得点に基づいて、前記複数の評価ディメンションの各々に対する前記ユーザの満足度を確定するステップと、前記評価ディメンションの各々に対する前記ユーザの満足度に基づいて、前記調理器具の制御パラメータを調節するステップと、を含む。
【０００９】
本発明の実施例の調理器具の制御方法によると、複数の評価ディメンションの評価得点に基づいて、複数の評価ディメンションの各々に対するユーザの満足度を確定し、評価ディメンションの各々に対するユーザの満足度に基づいて、調理器具の制御パラメータを調節し、各評価ディメンションの評価得点に基づいて評価ディメンションの各々に対するユーザの満足度を確定することで、ユーザが必要とする調理効果を正確に確実に取得するようにし、調理器具の制御パラメータを一層完全且つ正確に調節できる。
【００１０】
本発明の第１の実施例によると、前記調理器具の制御方法を調理器具に応用する場合、前記調理器具の調理効果評価情報を取得するステップは、具体的に、前記ユーザが入力した前記調理効果評価情報を受信するステップ、又は前記調理器具に接続された制御機器から送信された前記調理効果評価情報を受信するステップを含む。
【００１１】
本発明の実施例の調理器具の制御方法によると、調理器具の調理効果評価情報を取得する方法は、調理器具に複数の評価ディメンションを含む評価得点設定インターフェースを設置し、ユーザが評価得点設定インターフェース上で複数の評価ディメンションの各々に対して評価得点を設定し、調理器が評価ディメンションそれぞれの評価得点に基づいて調理効果評価情報を生成する方法と、ユーザが制御機器によって調理効果評価情報を設定し、制御機器によって調理器具に送信する方法であることができ、ここで、制御機器はスマートフォン、ＰＣ等であることができ、有線又は無線方式で調理器に接続されることができる。
【００１２】
本発明の第１の実施例によると、前記調理器具の制御方法を制御機器に応用する場合、前記調理器具の調理効果評価情報を取得するステップは、具体的に、ユーザが評価得点設定インターフェース上で前記複数の評価ディメンションの各々に対して評価得点を設定するように、前記複数の評価ディメンションを含む前記評価得点設定インターフェースを表示し、各前記評価ディメンションの評価得点に基づいて前記調理効果評価情報を生成するステップを含む。
【００１３】
本発明の実施例の調理器具の制御方法によると、ユーザが制御機器の評価得点設定インターフェース上で複数の評価ディメンションの各々に対して評価得点を設定して、ユーザの使用需要を満たすことができる。
【００１４】
本発明の第１の実施例によると、前記調節後の制御パラメータに基づいて前記調理器具による調理を制御するステップは、具体的に、前記調理器具が受信した前記調節後の制御パラメータに基づいて調理を行うように、前記調理器具に前記調節後の制御パラメータを送信するステップを含む。
【００１５】
本発明の実施例の調理器具の制御方法によると、調理器具に調節後の制御パラメータを送信し、調理器具が受信した調節後の制御パラメータに基づいて調理し、ユーザが制御機器によって調理器具を遠隔制御することができる。
【００１６】
本発明の第１の実施例によると、前記調理効果評価情報を前記調理器具に送信するステップをさらに含む。
【００１７】
本発明の実施例の調理器具の制御方法によると、調理効果評価情報を調理器具に送信することで、調理器具が調理効果評価情報に基づいて制御パラメータを自動調節し、調理器具で調理効果評価情報を設定する必要がない。
【００１８】
本発明の第２の態様の実施例によると、調理器具の調理効果を評価する複数の評価ディメンション及び前記複数の評価ディメンションの評価得点を含む前記調理器具の調理効果評価情報を取得する取得部と、前記調理効果評価情報に基づいて前記調理器具の制御パラメータを調節し、調節後の制御パラメータに基づいて前記調理器具による調理を制御する処理部と、を含む調理器具の制御装置を提供する。
【００１９】
本発明の実施例の調理器具の制御装置によると、調理器具の調理効果評価情報を取得し、調理効果評価情報に基づいて、調理器具の制御パラメータを調節して、調節後の制御パラメータに基づいて調理器具による調理を制御することで、調理効果評価情報が調理効果に対するユーザの満足度を直接的に反映するため、調理効果評価情報に基づいて制御パラメータを調節することで、最終的な調理効果がユーザの実際の需要に確実に近づくようにし、ユーザの使用体験を向上させる。
【００２０】
本発明の上記実施例の調理器具の制御装置によると、さらに以下の特徴を有することができる。
【００２１】
本発明の一実施例によると、前記処理部は具体的に、前記複数の評価ディメンションの評価得点に基づいて、前記複数の評価ディメンションの各々に対する前記ユーザの満足度を確定し、前記評価ディメンションの各々に対する前記ユーザの満足度に基づいて、前記調理器具の制御パラメータを調節する。
【００２２】
本発明の実施例の調理器具の制御装置によると、複数の評価ディメンションの評価得点に基づいて、複数の評価ディメンションの各々に対するユーザの満足度を確定し、評価ディメンションの各々に対するユーザの満足度に基づいて、調理器具の制御パラメータを調節し、各評価ディメンションの評価得点に基づいて、評価ディメンションの各々に対するユーザの満足度を確定することで、ユーザが必要とする調理効果を正確に確実に取得するようにし、調理器具の制御パラメータを一層完全且つ正確に調節できる。
【００２３】
本発明の第３の態様の実施例によると、上述した実施例におけるいずれかに記載の調理器具の制御装置を含み、前記取得部は、ユーザが入力した調理効果評価情報を受信し、又は前記調理器具に接続された制御機器から送信された調理効果評価情報を受信する調理器具を提供する。
【００２４】
本発明の実施例の調理器具によると、調理器具の調理効果評価情報を取得する方法は、調理器具に複数の評価ディメンションを含む評価得点設定インターフェースを設定して、ユーザが評価得点設定インターフェース上で複数の評価ディメンションの各々に対して評価得点を設定し、調理器具が各評価ディメンションの評価得点に基づいて調理効果評価情報を生成する方法と、ユーザが制御機器によって調理効果評価情報を設定し、制御機器によって調理器具に送信する方法であることができ、ここで、制御機器はスマートフォン、ＰＣ等であることができ、有線又は無線方式で調理器具に接続されることができる。
【００２５】
本発明の第４の態様の実施例によると、上述した実施例におけるいずれかに記載の調理器具の制御装置を含み、前記取得部が、ユーザが評価得点設定インターフェース上で前記複数の評価ディメンションの各々に対して評価得点を設定するように、前記複数の評価ディメンションを含む前記評価得点設定インターフェースを表示し、各前記評価ディメンションの評価得点に基づいて前記調理効果評価情報を生成する制御機器を提供する。
【００２６】
本発明の実施例の制御機器によると、ユーザが制御機器の評価得点設定インターフェース上で複数の評価ディメンションの各々に対して評価得点を設定し、ユーザの使用需要を満たすことができる。
【００２７】
本発明の上記実施例の制御機器は、さらに以下の特徴を有することができる。
【００２８】
本発明の一実施例によると、前記処理部はさらに、前記調理器具が受信した前記調節後の制御パラメータに基づいて調理を行うように、前記調理器具に前記調節後の制御パラメータを送信する。
【００２９】
本発明の実施例の制御機器によると、調理器具に調節後の制御パラメータを送信し、調理器具が受信した調節後の制御パラメータに基づいて調理することで、ユーザが制御機器で調理器具を遠隔制御することができる。
【００３０】
本発明の一実施例によると、前記調理効果評価情報を前記調理器具に送信する送信部をさらに含む。
【００３１】
本発明の実施例の制御機器によると、調理効果評価情報を調理器具に送信することで、調理器具が調理効果評価情報に基づいて制御パラメータを自動調節し、調理器具で調理効果評価情報を設定する必要がない。
【００３２】
本発明の他の態様やメリットの一部は以下の説明から示し、一部は以下の説明から明確になり、又は本発明を実施することで理解できる。
【００３３】
本発明の上記及び/又は他の態様やメリットを以下の図面と併せた実施例の説明から明確になり、また簡単に理解できる。
【図面の簡単な説明】
【００３４】
【図１】本発明の実施例に係る調理器具の制御方法を示すフローチャートである。
【図２】本発明の実施例に係る調理器具の制御装置を示すブロック図である。
【図３】本発明の実施例に係る調理器具を示すブロック図である。
【図４】本発明の実施例に係る制御機器を示すブロック図である。
【図５】本発明の実施例に係る評価得点設定インターフェースを示す図である。
【発明を実施するための形態】
【００３５】
本発明の上記目的、特徴及びメリットをさらに理解するように、以下、図面と具体的な実施形態を併せて本発明をさらに詳しく説明する。なお、矛盾しない限り、本願の実施例及び実施例中の特徴を互いに組み合せることができる。
【００３６】
本発明を充分に理解させるため、以下の説明で具体的な詳細を説明するが、本発明はここで説明する実施形態と異なる他の実施形態で実施することもできるので、本発明の保護範囲は以下で開示する具体的な実施例に限定されない。
【００３７】
図１は本発明の実施例に係る調理器具の制御方法を示すフローチャートである。
【００３８】
図１に示すように、本発明の実施例に係る調理器具の制御方法はステップ１０２及び１０４を含む。
【００３９】
ステップ１０２において、調理器具の調理効果評価情報を取得し、ここで、調理効果評価情報は、調理器具の調理効果を評価する複数の評価ディメンション及び複数の評価ディメンションの評価得点を含む。
【００４０】
ステップ１０４において、調理効果評価情報に基づいて、調理器具の制御パラメータを調節し、調節後の制御パラメータに基づいて調理器具による調理を制御する。
【００４１】
調理器具の調理効果評価情報を取得し、調理効果評価情報に基づいて、調理器具の制御パラメータを調節し、調節後の制御パラメータに基づいて、調理器具による調理を制御することで、調理効果評価情報が調理効果に対するユーザの満足度を直接的に反映するため、調理効果評価情報に基づいて制御パラメータを調節して、最終的な調理効果がユーザの実際の需要に確実に近づくようにし、ユーザの使用体験を向上させる。
【００４２】
本発明の上記実施例に係る調理器具の制御方法は、さらに以下の特徴を有することができる。
【００４３】
本発明の第１の実施例によると、調理効果評価情報に基づいて、調理器具の制御パラメータを調節するステップが、具体的に、複数の評価ディメンションの評価得点に基づいて、複数の評価ディメンションの各々に対するユーザの満足度を確定するステップと、各評価ディメンションに対するユーザの満足度に基づいて、調理器具の制御パラメータを調節するステップと、を含む。
【００４４】
複数の評価ディメンションの評価得点に基づいて、複数の評価ディメンションの各々に対するユーザの満足度を確定し、また各評価ディメンションに対するユーザの満足度に基づいて、調理器具の制御パラメータを調節し、各評価ディメンションの評価得点によって評価ディメンションの各々に対するユーザの満足度を確定することで、ユーザが必要とする調理効果を正確に確実に取得するようにし、調理器具の制御パラメータを一層完全且つ正確に調節できる。
【００４５】
本発明の第１の実施例によると、調理器具の制御方法を調理器具に応用する場合、調理器具の調理効果評価情報を取得するステップは、具体的に、ユーザが入力した調理効果評価情報を受信するステップ、又は調理器具に接続された制御機器から送信された調理効果評価情報を受信するステップを含む。
【００４６】
調理器具の調理効果評価情報を取得する方法はさまざまで、調理器具に複数の評価ディメンションを含む評価得点設定インターフェースを設置し、ユーザが評価得点設定インターフェースで複数の評価ディメンションそれぞれに評価得点を設定し、調理器が評価ディメンションそれぞれの評価得点に基づいて調理効果評価情報を生成する方法であることができれば、ユーザが制御機器によって調理効果評価情報を設定し、制御機器によって調理器具に送信する方法であることもでき、ここで、制御機器はスマートフォン、ＰＣ等であることができ、有線又は無線方式で調理器に接続されることができる。
【００４７】
具体的に、調理器具によって調理効果評価情報を取得する場合又は制御機器によって調理効果評価情報を取得する場合に、いずれも評価得点設定インターフェース５００を介して評価ディメンションそれぞれに評価得点を設定しなければならなく、図５に示すように、評価得点設定インターフェース５００は、ディメンション１〜ディメンション９を含み（例えば、嗜好性を示す硬度、水分含有量、糊化率、外観を示す平坦性、ふわふわさ、膨脹度、及び他のディメンションからなる９個のディメンションを含み、ここで、９個のディメンションは上述したものに限定されず、実際の需要に応じて具体的に設定可能である）、総合評価得点及びユーザ評価得点ディメンションをさらに追加することができ、ユーザは棒グラフの高さを自由に調節することで各ディメンションについての満足度を表すことができ、出荷する際、ユーザ評価ディメンションは空き値で、デフォルトの複数のディメンションによって出荷時の調理能力及び単一のディメンションレベル能力を示す。ユーザが使用する場合、ユーザ評価得点ディメンションを選択して設定することができ、総合評価得点は調節される得点値に従って変化し、ユーザは複数回調節することができれば、工場設定への回復を選択することもできる。調節中において、ユーザは調理効果についての感覚に基づいて各ディメンションを評価することができ、システムは各ディメンションに関連づけられた複数の調節プログラムを記憶し、ユーザによる各ディメンションについての評価得点に応じて対応する調節プログラムを呼び出すことができ、例えばユーザが硬度について設定した評価得点が低いと、ユーザがご飯が柔らかくで硬さが不足であると思うことを表すので、この時、ユーザが硬度に不満であると確定し、システムは硬度の調節に関連する加熱時間調節プログラムや加熱パワー調節プログラム等の調節プログラムを探し、加熱パワーを増やし、加熱時間を短縮することで、ご飯中の水分を低減し、ご飯の硬度を高める。なお、調理効果の評価ディメンションは上述した９個のディメンションに限定されず、実際の需要に応じて具体的に設定することができる。
【００４８】
本発明の第１の実施例によると、調理器具の制御方法を制御機器に応用する場合、調理器具の調理効果評価情報を取得するステップは、具体的に、複数の評価ディメンションを含む評価得点設定インターフェースを表示して、ユーザが評価得点設定インターフェースで複数の評価ディメンションそれぞれに評価得点を設定し、評価ディメンションそれぞれの評価得点に基づいて調理効果評価情報を生成するステップを含む。
【００４９】
ユーザがさらに制御機器の評価得点設定インターフェース上で複数の評価ディメンションそれぞれに評価得点を設定することができ、ユーザの使用需要を満たすことができる。
【００５０】
本発明の第１の実施例によると、調節後の制御パラメータに基づいて、調理器具による調理を制御するステップは、具体的に、調理器具が受信した調節後の制御パラメータで調理を行うように、調理器具に調節後の制御パラメータを送信するステップを含む。
【００５１】
調理器具に調節後の制御パラメータを送信して調理器具が受信した調節後の制御パラメータで調理を行うようにすることで、ユーザが制御機器で調理器具を遠隔制御することができる。
【００５２】
本発明の第１の実施例によると、調理効果評価情報を調理器具に送信するステップをさらに含む。
【００５３】
調理効果評価情報を調理器具に送信して、調理器具が調理効果評価情報に基づいて制御パラメータを自動調節し、調理器具で調理効果評価情報を設定する必要がない。
【００５４】
図２は本発明の実施例に係る調理器具の制御装置を示すブロック図である。
【００５５】
図２に示すように、本発明の実施例に係る調理器具の制御装置２００は、取得部２０２と、処理部２０４とを含む。
【００５６】
ここで、取得部２０２は調理器具の調理効果評価情報を取得し、ここで、調理効果評価情報は調理器具の調理効果を評価するための複数の評価ディメンション及び複数の評価ディメンションの評価得点を含む。処理部２０４は調理効果評価情報に基づいて、調理器具の制御パラメータを調節し、調節後の制御パラメータに基づいて調理器具による調理を制御する。
【００５７】
調理器具の調理効果評価情報を取得し、調理効果評価情報に基づいて、調理器具の制御パラメータを調節し、調節後の制御パラメータに基づいて、調理器具による調理を制御することで、調理効果評価情報が調理効果に対するユーザの満足度を直接的に反映するため、調理効果評価情報に基づいて制御パラメータを調節して、最終的な調理効果がユーザの実際の需要に確実に近づくようにし、ユーザの使用体験を向上させる。
【００５８】
本発明の上記実施例に係る調理器具の制御装置２００は、さらに以下の特徴を有することができる。
【００５９】
本発明の一実施例によると、処理部２０４は具体的に、複数の評価ディメンションの評価得点に基づいて、複数の評価ディメンションの各々に対するユーザの満足度を確定し、評価ディメンションの各々に対するユーザの満足度に基づいて、調理器具の制御パラメータを調節する。
【００６０】
複数の評価ディメンションの評価得点に基づいて、複数の評価ディメンションの各々に対するユーザの満足度を確定し、また各評価ディメンションに対するユーザの満足度に基づいて、調理器具の制御パラメータを調節し、評価ディメンションそれぞれの評価得点によって評価ディメンションの各々に対するユーザの満足度を確定することで、ユーザが必要とする調理効果を正確に確実に取得するようにし、調理器具の制御パラメータを一層完全且つ正確に調節できる。
【００６１】
図３は本発明の実施例に係る調理器具を示すブロック図である。
【００６２】
図３に示すように、本発明の実施例に係る調理器具３００は、図２に示す調理器具の制御装置２００を含み、ここで、取得部２０２は具体的に、ユーザが入力した調理効果評価情報を受信し、又は調理器具に接続された制御機器から送信される調理効果評価情報を受信する。
【００６３】
調理器具の調理効果評価情報を取得する方法はさまざまで、調理器具に複数の評価ディメンションを含む評価得点設定インターフェース５００（図５を参照）を設置し、ユーザが評価得点設定インターフェースで複数の評価ディメンションそれぞれに評価得点を設定し、調理器が評価ディメンションそれぞれの評価得点に基づいて調理効果評価情報を生成する方法であることができれば、ユーザが制御機器によって調理効果評価情報を設定し、制御機器によって調理器具に送信する方法であることもでき、ここで、制御機器はスマートフォン、ＰＣ等であることができ、有線又は無線方式で調理器に接続され、調理器具３００は炊飯器、電気圧力鍋等を含むことができる。
【００６４】
図４は本発明の実施例に係る制御機器を示すブロック図である。
【００６５】
図４に示すように、本発明の実施例に係る制御機器４００は、図２に示す調理器具の制御装置２００を含み、ここで、取得部２０２は具体的に、複数の評価ディメンションを含む評価得点設定インターフェース５００（図５を参照）を表示して、ユーザが評価得点設定インターフェース上で複数の評価ディメンションそれぞれに評価得点を設定し、評価ディメンションそれぞれの評価得点に基づいて調理効果評価情報を生成する。
【００６６】
ユーザがさらに制御機器の評価得点設定インターフェースで複数の評価ディメンションそれぞれに評価得点を設定でき、ユーザの使用需要を満たすことができる。
【００６７】
本発明の上記実施例に係る制御機器４００は、さらに以下の特徴を有することができ
る。
【００６８】
本発明の一実施例によると、処理部２０４は、調理器具が受信した調節後の制御パラメータに基づいて調理を行うように、調理器具に調節後の制御パラメータを送信する。
【００６９】
調理器具に調節後の制御パラメータを送信して、調理器具が受信した調節後の制御パラメータで調理を行うことで、ユーザが制御機器によって調理器具を遠隔制御することができる。
【００７０】
本発明の一実施例によると、調理効果評価情報を調理器具に送信する送信部４０２をさらに含む。
【００７１】
調理効果評価情報を調理器具に送信して、調理器具が調理効果評価情報に基づいて制御パラメータを自動調節し、調理器具によって調理効果評価情報を設定する必要がなくなる。
【００７２】
調理器具の制御方法は調理器具自体によって完成することができ、制御機器と調理器具とが一緒に完成することもでき、具体的に以下のとおりである。
【００７３】
実施例１：調理器具に複数の評価ディメンションを含む評価得点設定インターフェースを設定し、ユーザが評価得点設定インターフェースで複数の評価ディメンションそれぞれに評価得点を設定し、調理器具が評価ディメンションそれぞれの評価得点に基づいて調理効果評価情報を生成し、また調理効果評価情報に基づいて、調理器具の制御パラメータを調節して、調節後の制御パラメータに基づいて、調理器具による調理を制御する。
【００７４】
実施例２：調理器具に通信部を設置し、通信部によって制御機器から送信された調理効果評価情報を取得し（ここで、制御機器に複数の評価ディメンションを含む評価得点設定インターフェースが表示され、ユーザが評価得点設定インターフェースで複数の評価ディメンションそれぞれに評価得点を設定し、調理器具が評価ディメンションそれぞれの評価得点に基づいて調理効果評価情報を生成する）、調理器具が調理効果評価情報に基づいて、調理器具の制御パラメータを調節して、調節後の制御パラメータに基づいて、調理器具による調理を制御する。
【００７５】
実施例３：制御機器に複数の評価ディメンションを含む評価得点設定インターフェースが表示され、ユーザが評価得点設定インターフェースで複数の評価ディメンションそれぞれに評価得点を設定し、調理器具が評価ディメンションそれぞれの評価得点に基づいて調理効果評価情報を生成し、制御機器が調理効果評価情報に基づいて、調理器具の制御パラメータを調節し、調節後の制御パラメータを調理器具に送信して、調節後の制御パラメータに基づいて、調理器具による調理を制御する。
【００７６】
以上、図面と併せて本発明の技術的方法を詳しく説明したが、本発明は新しい調理器具の制御方法を提供し、調理効果評価情報に基づいて調理器具の制御パラメータを調節し、最終的な調理効果を確保し、ユーザの使用需要を満たし、ユーザの使用体験を向上させる。
【００７７】
以上は、本発明の好適な実施例に過ぎず、本発明を限定するものではなく、当業者であれば本発明に様々な修正や変形が可能である。本発明の精神や原則内での全ての修正、置換、改良などは本発明の保護範囲内に含まれる。
【符号の説明】
【００７８】
２００  制御装置
２０２  取得部
２０４  処理部
３００  調理器具
４００  制御機器
４０２  送信部
５００  評価得点設定インターフェース
【図１】
2019527599.tif 000003
【図２】
2019527599.tif 000004
【図３】
2019527599.tif 000005
【図４】
2019527599.tif 000006
【図５】
2019527599.tif 000007
【国際調査報告】
2019527599.tif 000008
2019527599.tif 000009
2019527599.tif 000010
2019527599.tif 000011